(57)【要約】【課題】  ＬＥＤを発光体として使用するショーケースであって、部品数の増加とシェードの照度むらとが抑制されたショーケースを提供する。【解決手段】  側面に開口を有する箱体と、開口上端部を覆う半透明のシェードと、反射面をシェードに対峙させて箱体内に配設された反射板と、発光体とを備え、発光体は双方向レンズを取り付けた複数のＬＥＤであり、双方向レンズにより二方向に差し向けられたＬＥＤの光の一方は反射板へ差し向けられ反射板により反射されてシェードを照射し、他方は箱体内部へ差し向けられて箱体内部を直接照射する。【選択図】  図２
2010088596.tif 000002
【特許請求の範囲】
【請求項１】
側面に開口を有する箱体と、開口上端部を覆う半透明のシェードと、反射面をシェードに対峙させて箱体内に配設された反射板と、発光体とを備え、発光体は双方向レンズを取り付けた複数のＬＥＤであり、双方向レンズにより二方向に差し向けられたＬＥＤの光の一方は反射板へ差し向けられ反射板により反射されてシェードを照射し、他方は箱体内部へ差し向けられて箱体内部を直接照射することを特徴とするショーケース。
【請求項２】
反射板は全反射率及び拡散反射率の高い反射面を有することを特徴とする請求項１に記載のショーケース。
【請求項３】
反射板は白色の微細発砲ＰＥＴシートであることを特徴とする請求項２に記載のショーケース。
【請求項４】
反射板は、箱体内方へ向けて凸に湾曲又は屈曲していることを特徴とする請求項１乃至３の何れか１項に記載のショーケース。
【請求項５】
双方向レンズはＬＥＤの光を９０°乃至１８０°離れた二方向に差し向け、ＬＥＤはシェードの下端部の高さ位置に且つ反射板の斜め下方位置に配設されていることを特徴とする請求項１乃至４の何れか１項に記載のショーケース。
【発明の詳細な説明】
【技術分野】
【０００１】
本発明は、側面に開口を有する箱体と、開口上端部を覆う半透明のシェードと、シェードに対峙して箱体内に配設された反射板と、シェードと反射板との間に配設された発光体とを備えるショーケースに関するものである。
【背景技術】
【０００２】
側面に開口を有する箱体と、開口上端部を覆う半透明のシェードと、シェードに対峙して箱体内に配設された反射板と、シェードと反射板との間に配設された蛍光灯とを備えるショーケースが特許文献１に開示されている。
蛍光灯の光の一部はシェードを直接照射し、他の一部は反射板により反射されてシェードを照射し、他の一部は箱体内部を直接照射する。
【特許文献１】特開２００１−２５５０６１号公報
【発明の開示】
【発明が解決しようとする課題】
【０００３】
省エネルギーの観点から、ショーケースの照明にＬＥＤを使用する試みがなされるようになってきた。指向性が高いＬＥＤを用いてシェードと箱体内部とを照射するために、シェードへ差し向けたＬＥＤと箱体内部へ差し向けたＬＥＤとを配設することが考えられる。しかし上記構成は、部品数の増加と、ＬＥＤが指向性の高い点光源であることに起因するシェードの照度むらとを招く。
本発明は上記問題に鑑みてなされたものであり、ＬＥＤを発光体として使用するショーケースであって、部品数の増加とシェードの照度むらとが抑制されたショーケースを提供することを目的とする。
【課題を解決するための手段】
【０００４】
上記課題を解決するために、本発明においては、側面に開口を有する箱体と、開口上端部を覆う半透明のシェードと、反射面をシェードに対峙させて箱体内に配設された反射板と、発光体とを備え、発光体は双方向レンズを取り付けた複数のＬＥＤであり、双方向レンズにより二方向に差し向けられたＬＥＤの光の一方は反射板へ差し向けられ反射板により反射されてシェードを照射し、他方は箱体内部へ差し向けられて箱体内部を直接照射することを特徴とするショーケースを提供する。
本発明に係るショーケースにおいては、ＬＥＤに取り付けた双方向レンズによってＬＥＤの光を二方向に差し向ける。二方向に差し向けられた光の一方は反射板へ差し向けられ反射板により反射されてシェードを照射し、他方は箱体内部へ差し向けられて直接箱体内部に照射する。シェード照射用ＬＥＤと箱体内部照射用ＬＥＤとを個別に配設する必要がないので部品数の増加が抑制される。ＬＥＤの光を直接シェードに照射するのではなく反射板へ差し向け反射板で反射させてシェードに照射することにより、ＬＥＤの光の指向性と点光源性とが緩和され、シェードの照度むらが抑制される。
【０００５】
本発明の好ましい態様においては、反射板は全反射率及び拡散反射率の高い反射面を有する。
反射面の全反射率を高めることによりシェードの照度が増加し、反射面の拡散反射率を高めることによりシェードの照度むらが減少する。
【０００６】
本発明の好ましい態様においては、反射板は白色の微細発砲ＰＥＴシートである。
白色の微細発砲ＰＥＴシートから成る反射板は、全反射率及び拡散反射率の高い反射面を形成することができる。
【０００７】
本発明の好ましい態様においては、反射板は、箱体内方へ向けて凸に湾曲又は屈曲している。
反射板が箱体内方へ向けて凸に湾曲又は屈曲することにより、反射板とＬＥＤとの距離と反射板とシェードとの距離が増加し、シェードの照度むらが減少する。
【０００８】
本発明の好ましい態様においては、双方向レンズはＬＥＤの光を９０°乃至１８０°離れた二方向に差し向け、ＬＥＤはシェードの下端部の高さ位置に且つ反射板の斜め下方位置に配設されている。
双方向レンズを用いてＬＥＤの光を９０°乃至１８０°離れた二方向に差し向けた場合、一方を箱体内部へ向けて斜め下方へ差し向ければ、他方は斜め上方の反射板へ差し向けられる。ＬＥＤ自身は反射板からの反射光を受けにくいので、ＬＥＤの影はシェードに写らない。
【発明の効果】
【０００９】
本発明により、ＬＥＤを発光体として使用するショーケースであって、部品数の増加とシェードの照度むらとが抑制されたショーケースが提供される。
【発明を実施するための最良の形態】
【００１０】
本発明の実施例に係るショーケースを説明する。
図１に示すように、オープンショーケース１は、天井部断熱壁２ａと、天井外装板２ａ’と、後部断熱壁２ｂと、底部断熱壁２ｃと、図示しない両側壁と、断熱壁２ａ〜２ｃの内側に配設した内部パネル３と、により形成された箱体４を備えている。箱体４の天井外装板２ａ’を除いた部分が貯蔵室４’を形成している。断熱壁２ａ〜２ｃと内部パネル３との間の隙間は、冷気循環ダクト５を形成している。
箱体４は正面視矩形の前面開口４ａを有している。貯蔵室４’内には複数の陳列棚６が上下方向に互いに間隔を隔てて配設されている。
冷気循環ダクト５内に冷凍回路の蒸発器７と蒸発器用ファン８とが配設され、貯蔵室４の下方に形成された機械室内に、冷凍回路の凝縮器９と凝縮器用ファン１０と圧縮機１１とが配設されている。
冷気循環ダクト５の上部前端部５ａは、内部パネル３と天井部断熱壁２ａの前端部に固定された板部材１２とにより形成されており、下向きに開口して冷気吹出口１３を形成している。冷気吹出口１３に整流用のハニカム部材１４が取り付けられている。
冷気循環ダクト５の下部は、蒸発器用ファン８を介して、最下段の陳列棚６と底部断熱壁２ｃの前端直立部との間に形成された冷気吸入口１５に連通している。
【００１１】
図１、２に示すように、オープンショーケース１は、天井外装板２ａ’の前端に当接するハンドレール１６と、ハンドレール１６に取り付けられて垂下する所定幅の半透明板から成る帯板状のシェード１７とを備えている。シェード１７は図１、２の奥行方向に延在して開口４ａの上端部を覆っている。
図１、２の奥行方向に延在する帯板状の反射板１８が、板部材１２とシェード１７との間に且つ反射面をシェード１７に対峙させて、箱体４内に配設され、図示しない取り付け部材を用いて箱体４に固定されている。反射板１８は、白色の微細発砲ＰＥＴシートで形成されている。微細発砲ＰＥＴシートは、全反射率及び拡散反射率の高い反射面を形成する。図１、２から分かるように、箱体４を側方から見た時に、反射板１８は箱体４の内方へ向けて凸に屈曲している。
双方向レンズを取り付けた複数のＬＥＤ１９が、互いに所定間隔を隔てて図１、２の奥行方向に整列して、シェード１７と反射板１８との間に配設され、図示しない取り付け部材を用いて箱体４に固定されている。ＬＥＤ１９はシェード１７の下端部の高さ位置に且つ反射板１８の斜め下方位置に配設されている。ＬＥＤ１９の光を９０°乃至１８０°離れた二方向に差し向けることができる双方向レンズが使用されている。双方向レンズを取り付けた複数の所定間隔を隔てて整列したＬＥＤから成るＬＥＤモジュールを市場で入手することができる。
【００１２】
双方向レンズにより二方向に差し向けられたＬＥＤの光の一方が、より具体的には斜め上方の反射板１８へ差し向けられた光が、図１、２に矢印で示すように反射板１８へ差し向けられ反射板１８により反射されてシェード１７を照射し、双方向レンズにより二方向に差し向けられたＬＥＤの光の他方が、より具体的には斜め下方へ差し向けられた光が、図１、２に二重矢印で示すように箱体４内部へ差し向けられ箱体４内部を直接照射する。
【００１３】
オープンショーケース１においては、ＬＥＤ１９に取り付けた双方向レンズによってＬＥＤ１９の光を二方向に差し向け、一方を反射板１８へ差し向け反射板１８により反射させてシェード１７に照射し、他方を箱体４内部へ差し向け直接箱体４内部に照射するので、ＬＥＤ１９の光は、シェード１７と箱体４内部ひいては貯蔵室４’内部とを同時に照射することができる。
オープンショーケース１においては、シェード１７を照射するＬＥＤと箱体４内部を照射するＬＥＤとを個別に配設する必要がないので、部品数の増加が抑制されている。ＬＥＤ１９の光を直接シェード１７に照射するのではなく反射板１８へ差し向け反射板１８で反射させてシェード１７に照射しているので、ＬＥＤ１９の光の指向性と点光源性とが緩和され、シェード１７の照度むらが抑制されている。
ＬＥＤの光を９０°乃至１８０°離れた二方向に差し向けることができる双方向レンズを使用するので、双方向レンズを通過したＬＥＤ１９の光の一方を箱体４内部へ向けて斜め下方へ差し向け、他方を斜め上方の反射板１８へ差し向けることができる。また、ＬＥＤ１９はシェード１７の下端部の高さ位置に且つ反射板１８の斜め下方位置に配設されているので、ＬＥＤ１９自身は反射板１８からの反射光を受けにくく、ＬＥＤ１９の影はシェード１７に写らない。
【００１４】
白色の微細発砲ＰＥＴシートから成る反射板１８は、全反射率及び拡散反射率の高い反射面を形成している。反射面の全反射率が高いのでシェード１７の照度が高い。反射面の拡散反射率が高いので、点光源であるＬＥＤ１９の集合体から成る発光体を用いてもシェード１７の照度むらは少ない。ＬＥＤ１９の配設密度の上昇を抑制してもシェード１７の照度むらを抑制できるので、部品数を削減できる。
反射板１８が箱体４内方へ向けて凸に屈曲しており、反射板１８とＬＥＤ１９との距離と反射板１８とシェード１７との距離が大きいので、シェード１７の照度むらが少ない。反射板１８を箱体４内方へ向けて凸に湾曲させても良い。
【図面の簡単な説明】
【００１５】
【図１】本発明の実施例に係るショーケースの側断面図である。
【図２】図１の部分拡大図である。
【符号の説明】
【００１６】
１  オープンショーケース
２ａ  天井部断熱壁
２ａ ’   天井外装板’
３  内部パネル
４  箱体
４ａ  前面開口
４’ 貯蔵室
５  冷気循環ダクト
６  陳列棚
１７  シェード
１８  反射板
１９  ＬＥＤ
【図１】
2010088596.tif 000003
【図２】
2010088596.tif 000004
【手続補正書】
【提出日】平成20年10月7日(2008.10.7)
【手続補正１】
【補正対象書類名】特許請求の範囲
【補正対象項目名】請求項３
【補正方法】変更
【補正の内容】
【請求項３】
反射板は白色の微細発泡ＰＥＴシートであることを特徴とする請求項２に記載のショーケース。
【手続補正２】
【補正対象書類名】明細書
【補正対象項目名】０００６
【補正方法】変更
【補正の内容】
【０００６】
本発明の好ましい態様においては、反射板は白色の微細発泡ＰＥＴシートである。
白色の微細発泡ＰＥＴシートから成る反射板は、全反射率及び拡散反射率の高い反射面を形成することができる。
【手続補正３】
【補正対象書類名】明細書
【補正対象項目名】００１１
【補正方法】変更
【補正の内容】
【００１１】
図１、２に示すように、オープンショーケース１は、天井外装板２ａ’の前端に当接するハンドレール１６と、ハンドレール１６に取り付けられて垂下する所定幅の半透明板から成る帯板状のシェード１７とを備えている。シェード１７は図１、２の奥行方向に延在して開口４ａの上端部を覆っている。
図１、２の奥行方向に延在する帯板状の反射板１８が、板部材１２とシェード１７との間に且つ反射面をシェード１７に対峙させて、箱体４内に配設され、図示しない取り付け部材を用いて箱体４に固定されている。反射板１８は、白色の微細発泡ＰＥＴシートで形成されている。微細発泡ＰＥＴシートは、全反射率及び拡散反射率の高い反射面を形成する。図１、２から分かるように、箱体４を側方から見た時に、反射板１８は箱体４の内方へ向けて凸に屈曲している。
双方向レンズを取り付けた複数のＬＥＤ１９が、互いに所定間隔を隔てて図１、２の奥行方向に整列して、シェード１７と反射板１８との間に配設され、図示しない取り付け部材を用いて箱体４に固定されている。ＬＥＤ１９はシェード１７の下端部の高さ位置に且つ反射板１８の斜め下方位置に配設されている。ＬＥＤ１９の光を９０°乃至１８０°離れた二方向に差し向けることができる双方向レンズが使用されている。双方向レンズを取り付けた複数の所定間隔を隔てて整列したＬＥＤから成るＬＥＤモジュールを市場で入手することができる。
【手続補正４】
【補正対象書類名】明細書
【補正対象項目名】００１４
【補正方法】変更
【補正の内容】
【００１４】
白色の微細発泡ＰＥＴシートから成る反射板１８は、全反射率及び拡散反射率の高い反射面を形成している。反射面の全反射率が高いのでシェード１７の照度が高い。反射面の拡散反射率が高いので、点光源であるＬＥＤ１９の集合体から成る発光体を用いてもシェード１７の照度むらは少ない。ＬＥＤ１９の配設密度の上昇を抑制してもシェード１７の照度むらを抑制できるので、部品数を削減できる。
反射板１８が箱体４内方へ向けて凸に屈曲しており、反射板１８とＬＥＤ１９との距離と反射板１８とシェード１７との距離が大きいので、シェード１７の照度むらが少ない。反射板１８を箱体４内方へ向けて凸に湾曲させても良い。
【手続補正書】
【提出日】平成20年10月8日(2008.10.8)
【手続補正１】
【補正対象書類名】特許請求の範囲
【補正対象項目名】請求項３
【補正方法】変更
【補正の内容】
【請求項３】
反射板は白色の微細発泡ＰＥＴシートであることを特徴とする請求項２に記載のショーケース。
【手続補正２】
【補正対象書類名】明細書
【補正対象項目名】００１１
【補正方法】変更
【補正の内容】
【００１１】
図１、２に示すように、オープンショーケース１は、天井外装板２ａ’の前端に当接するハンドレール１６と、ハンドレール１６に取り付けられて垂下する所定幅の半透明板から成る帯板状のシェード１７とを備えている。シェード１７は図１、２の奥行方向に延在して開口４ａの上端部を覆っている。
図１、２の奥行方向に延在する帯板状の反射板１８が、板部材１２とシェード１７との間に且つ反射面をシェード１７に対峙させて、箱体４内に配設され、図示しない取り付け部材を用いて箱体４に固定されている。反射板１８は、白色の微細発泡ＰＥＴシートで形成されている。微細発泡ＰＥＴシートは、全反射率及び拡散反射率の高い反射面を形成する。図１、２から分かるように、箱体４を側方から見た時に、反射板１８は箱体４の内方へ向けて凸に屈曲している。
双方向レンズを取り付けた複数のＬＥＤ１９が、互いに所定間隔を隔てて図１、２の奥行方向に整列して、シェード１７と反射板１８との間に配設され、図示しない取り付け部材を用いて箱体４に固定されている。ＬＥＤ１９はシェード１７の下端部の高さ位置に且つ反射板１８の斜め下方位置に配設されている。ＬＥＤ１９の光を９０°乃至１８０°離れた二方向に差し向けることができる双方向レンズが使用されている。双方向レンズを取り付けた複数の所定間隔を隔てて整列したＬＥＤから成るＬＥＤモジュールを市場で入手することができる。
【手続補正３】
【補正対象書類名】明細書
【補正対象項目名】００１４
【補正方法】変更
【補正の内容】
【００１４】
白色の微細発泡ＰＥＴシートから成る反射板１８は、全反射率及び拡散反射率の高い反射面を形成している。反射面の全反射率が高いのでシェード１７の照度が高い。反射面の拡散反射率が高いので、点光源であるＬＥＤ１９の集合体から成る発光体を用いてもシェード１７の照度むらは少ない。ＬＥＤ１９の配設密度の上昇を抑制してもシェード１７の照度むらを抑制できるので、部品数を削減できる。
反射板１８が箱体４内方へ向けて凸に屈曲しており、反射板１８とＬＥＤ１９との距離と反射板１８とシェード１７との距離が大きいので、シェード１７の照度むらが少ない。反射板１８を箱体４内方へ向けて凸に湾曲させても良い。